(57)【要約】【課題】非熟練工でも容易かつ確実に、ケーブル分岐接続部や多心ケーブルの心線分岐部の防水処理ができるようにする。【解決手段】ＥＰゴム等、外力により変形可能な材料よりなる防水スペーサ５の挿通孔に分岐線２，３の根元を挿通する。そして、防水スペーサ５と電線・ケーブル１の外周に、外側から締め付けるように防水テープ６を巻き付けて、防水スペーサ５を圧縮変形させ、分岐線２，３の間を隙間なく充填する。さらに、防水スペーサ５の挿通孔の外側壁部に防水スペーサ全長にわたってスリットをもうけ、分岐線２，３への防水スペーサ５の装着を容易にする。【選択図】　　　　　　　　図１
2004048832.tif 000002
【特許請求の範囲】
【請求項１】
一端から複数の分岐線が分岐している電線・ケーブルにおける電線・ケーブル分岐部防水構造であって、
外力により変形可能な材料よりなり、前記分岐線の外径に対応する挿通孔を分岐線の数だけ有する防水スペーサの前記挿通孔に分岐線の根元を挿通し、該防水スペーサと電線・ケーブルの外周を、外側から圧力を加えながら防水性材料で被覆したことを特徴とする電線・ケーブル分岐部防水構造。
【請求項２】
前記防水スペーサの挿通孔の外側壁部に防水スペーサ全長にわたってスリットを形成したことを特徴とする請求項１記載の電線・ケーブル分岐部防水構造。
【発明の詳細な説明】
【０００１】
【発明の属する技術分野】
本発明は、電線・ケーブル分岐接続部や多心ケーブルの心線分岐部に水が侵入しないようにするための電線・ケーブル分岐部防水構造に関するものである。
【０００２】
【従来の技術】
ケーブル分岐部や多心ケーブルの心線分岐部では、分岐部からケーブル内部に水が侵入しないように防水処理を施す必要がある。そのため従来は、分岐線間に防水テープを巻回するか、図３に示すような分岐管を用いるかして防水処理を施していた。
【０００３】
その内、分岐管を用いる方法は、分岐管の胴部１０のケーブル挿入孔１２に分岐線を接続したケーブルの端部を挿入し、岐管１１の分岐線貫通孔１３から分岐線を引き出す。そして、胴部１０とケーブル外周の上、及び、岐管１１と分岐線の上に防水テープを巻き付けて、分岐管の内部に水が侵入しないようにする。
【０００４】
なお、このような電線・ケーブル分岐部防水構造に関連する従来の文献としては、例えば、実開昭６０−１１７６３９号公報がある。
【０００５】
【発明が解決しようとする課題】
しかしながら、上記従来の電線・ケーブル分岐部防水構造の内、分岐線間に防水テープを巻回するものは、特に分岐線の股部分のテープの巻き付けが難しく、熟練した作業員でないと完全な防水性能が得られないという問題点があった。また、図３に示すような分岐管を用いるものでは、複数本の岐管１１，１１が隣接して設けられているため、岐管１１と分岐線との上に防水テープを巻き付ける作業がしにくく、作業性が悪いという問題点があった。
【０００６】
本発明は、そのような問題点に鑑み、非熟練工でも容易かつ確実に、ケーブル分岐接続部や多心ケーブルの心線分岐部の防水処理ができるようにすることを目的とするものである。
【０００７】
【課題を解決するための手段】
前記課題を解決するため、請求項１に記載の電線・ケーブル分岐部防水構造は、一端から複数の分岐線が分岐している電線・ケーブルにおける電線・ケーブル分岐部防水構造であって、外力により変形可能な材料よりなり、前記分岐線の外径に対応する挿通孔を分岐線の数だけ有する防水スペーサの前記挿通孔に分岐線の根元を挿通し、該防水スペーサと電線・ケーブルの外周を、外側から圧力を加えながら防水性材料で被覆したことを特徴とする。このようにすると、非熟練工でも容易かつ確実に、ケーブル分岐部や多心ケーブルの心線分岐部の防水処理ができる。
【０００８】
また、請求項２に記載の電線・ケーブル分岐部防水構造は、前記防水スペーサの挿通孔の外側壁部に防水スペーサ全長にわたってスリットを形成したことを特徴とする。このようにすると、分岐線への防水スペーサの装着が容易になる。
【０００９】
【発明の実施の形態】
以下、本発明の実施の形態を図面に基づいて詳細に説明する。
図１は、本発明の電線・ケーブル分岐部防水構造の一例を示す図である。図１において、１は電線・ケーブル、２，３は分岐線、４は分岐接続部、５は防水スペーサ、６は防水テープである。
【００１０】
分岐線２，３は、分岐接続部４において電線・ケーブル１に接続されており、分岐接続部４では、電線・ケーブル１と分岐線２，３の導体が接続され、その外側を絶縁処理されている。分岐線２，３の根元には防水スペーサ５が装着されている。
【００１１】
防水スペーサ５は、例えば、ＥＰゴム，ブチルゴム等の弾性体、又はパテ状物質で形成され、硬度５０（ＪＩＳ６２５３）以下とし、外力により変形可能になっており、図２に示すような構造をしている。すなわち、断面外形が円形又は楕円形をしており、分岐線２，３の外周に適合する挿通孔７が分岐線２，３に対応する数だけ設けられている。その挿通孔７の外側には、スペーサ全長にわたってスリット８，８が形成されており、そのスリット８を通して挿通孔７，７に分岐線２，３をはめ込めるようにしている。そして、防水性能を向上させるため、スリット８を形成した外壁部分は、肉厚を薄くして段差が極力小さくなるようにするのが望ましい。
【００１２】
そのような防水スペーサ５の挿通孔７，７に分岐線２，３を挿通し、防水スペーサ５から電線・ケーブル１の外周は、外側から締め付けるように防水テープ６を巻き付けて被覆する。その結果、防水スペーサ５は外側から圧縮されて変形し、分岐線２，３の間を隙間なく埋め、外周は防水テープ６により封止されるため完全な防水性が得られる。
【００１３】
そして、分岐線２，３の間は防水スペーサ５により充填されるため特別な処理は不要となり、防水テープ６の巻回は、あたかも１本の電線・ケーブルを処理するかのように処理すればよく、テープ巻きに特に熟練した技術は不要になる。
【００１４】
なお、上記実施形態では、防水スペーサ５の外側に防水テープ６を巻き付けたが、防水テープ６の代わりに防水チューブを被せるようにしてもよい。その場合は、弾力性のある防水チューブ内に工具を入れてチューブを拡開した状態にし、その中に、防水スペーサ５を装着した分岐ケーブルを挿入した後、工具を取り外す。その結果、防水チューブが収縮して防水スペーサ５が締め付けられて高い防水性が得られる。
【００１５】
また、上記実施形態では、分岐線２，３が、分岐接続部４において電線・ケーブル１に接続されている場合で説明したが、本発明は、多心ケーブルの端部で複数の線心を分岐させる場合の分岐部にも適用できる。
【００１６】
【発明の効果】
本発明は、以上説明したように構成されているので、次に記載するような効果を奏する。
すなわち、請求項１に記載の電線・ケーブル分岐部防水構造は、外力により変形可能な材料よりなり、分岐線の外径に対応する挿通孔を分岐線の数だけ有する防水スペーサの挿通孔に分岐線の根元を挿通し、該防水スペーサと電線・ケーブルの外周を、外側から圧力を加えながら防水性材料で被覆した。その結果、非熟練工でも容易かつ確実に、ケーブル分岐部や多心ケーブルの心線分岐部の防水処理ができる。
【００１７】
また、請求項２に記載の電線・ケーブル分岐部防水構造は、前記防水スペーサの挿通孔の外側壁部に防水スペーサ全長にわたってスリットを形成したので、分岐線をスリットを通して挿通孔に嵌め込むことができて、分岐線への防水スペーサの装着が容易になる。
【図面の簡単な説明】
【図１】本発明の電線・ケーブル分岐部防水構造の一例を示す図である。
【図２】防水スペーサを示す図である。
【図３】従来の電線・ケーブル分岐部防水構造に用いられていた分岐管を示す図である。
【符号の説明】
１…電線・ケーブル
２，３…分岐線
４…分岐接続部
５…防水スペーサ
６…防水テープ
７…挿通孔
８…スリット
【図１】
2004048832.tif 000003
【図２】
2004048832.tif 000004
【図３】
2004048832.tif 000005